(57)【要約】【課題】防護措置実施箇所やその状況を適確に把握することができる防護措置実施箇所管理システムおよび防護措置実施箇所管理方法を提供する。【解決手段】防護措置実施箇所管理システム１は、防護措置実施箇所に取り付けられる、かつ、防護措置実施箇所の位置データと防護措置の実施時に入力される防護措置用具の取付情報と防護措置用具の撤去時に取付情報に基づいて作成される撤去情報とが登録される情報記憶装置１４を備える情報端末装置１０と、情報端末装置１０から送信されてくる位置データおよび取付情報に基づいて作成される防護措置実施箇所管理情報が登録される管理情報記憶装置２４、および防護措置用具の撤去時に情報端末装置１０から送信されてくる撤去情報が登録される撤去情報記録装置２７を備えるデータ受信端末装置２０とを具備する。【選択図】  図１
2006311677.tif 000002
【特許請求の範囲】
【請求項１】
防護措置実施箇所に取り付けられる、かつ、該防護措置実施箇所の位置データと防護措置の実施時に入力される防護措置用具の取付情報と該防護措置用具の撤去時に該取付情報に基づいて作成される撤去情報とが登録される情報記憶装置（１４）を備える情報端末装置（１０）と、
該情報端末装置から送信されてくる前記位置データおよび前記取付情報に基づいて作成される防護措置実施箇所管理情報が登録される管理情報記憶装置（２４）、および前記防護措置用具の撤去時に前記情報端末装置から送信されてくる撤去情報が登録される撤去情報記録装置（２７）を備えるデータ受信端末装置（２０）と、
を具備することを特徴とする、防護措置実施箇所管理システム。
【請求項２】
前記情報端末装置が、
ＧＰＳ衛星からのＧＰＳ衛星情報を受信して前記情報端末装置の現在位置を演算するＧＰＳ受信演算部（１１）と、
前記取付情報を前記情報記憶装置に登録する取付情報登録部（１２）と、
前記防護措置用具の撤去時に、前記取付情報に基づいて前記撤去情報を作成する撤去指示部（１５）と、
前記データ受信端末装置からのデータ送信要求信号に応じて、前記情報端末装置の情報端末装置識別子、前記位置データおよび前記取付情報を該データ受信端末装置に送信するとともに、前記防護措置用具の撤去時に前記情報端末装置識別子および前記撤去情報を該データ受信端末装置に送信するデータ送受信部（１６）と、
を備えることを特徴とする、請求項１記載の防護措置実施箇所管理システム。
【請求項３】
前記データ受信端末装置が、
前記情報端末装置から送信されてくる前記位置データおよび前記取付情報に基づいて防護措置実施箇所管理情報を作成して、該作成した防護措置実施箇所管理情報を、前記情報端末装置から送信されてくる情報端末装置識別子と対応付けて前記管理情報記憶装置に登録する管理情報作成部（２２）と、
前記防護措置用具の撤去時に前記情報端末装置から送信されてくる前記撤去情報を前記撤去情報記録装置に登録する撤去処理部（２６）と、
を備えることを特徴とする、請求項１または２記載の防護措置実施箇所管理システム。
【請求項４】
前記データ受信端末装置と接続された、かつ、地図情報が登録された地図情報システム（３０）をさらに具備することを特徴とする、請求項１乃至３いずれかに記載の防護措置実施箇所管理システム。
【請求項５】
前記情報端末装置が、該情報端末装置に接続された撮像手段（５２）からの画像データを前記情報記憶装置に登録する画像データ登録部（１３）をさらに備え、
前記管理情報作成部が、前記情報端末装置から送信されてくる画像データを前記情報端末装置識別子と対応付けて前記管理情報記憶装置に登録する、
ことを特徴とする、請求項１乃至４いずれかに記載の防護措置実施箇所管理システム。
【請求項６】
前記データ受信端末装置が、
前記情報端末装置識別子と対応付けられた前記防護措置実施箇所管理情報および前記画像データを前記管理情報記憶装置から読み出して、該読み出した防護措置実施箇所管理情報に含まれている現在位置および取付箇所に基づいて、前記情報端末装置が取り付けられている位置の地図情報の送信を前記地図情報システムに要求するとともに、前記防護措置実施箇所管理情報、前記画像データおよび前記地図情報に基づいて取付状況画面データを作成して、該作成した取付状況画面データによって表される取付状況画面を表示装置に表示させる取付状況作成・表示部（２３）をさらに備えることを特徴とする、請求項５記載の防護措置実施箇所管理システム。
【請求項７】
前記情報端末装置の前記画像データ登録部が、画像データ送信要求信号が前記データ受信端末装置から送信されてくると、前記撮像手段から入力される画像データを前記データ送受信部を介して該データ受信端末装置に送信し、
該データ受信端末装置の前記取付状況作成・表示部が、前記情報端末装置から受信した前記画像データによって表されるライブ映像を前記表示装置に表示する、
ことを特徴とする、請求項８記載の防護措置実施箇所管理システム。
【請求項８】
防護措置用具の取付情報が情報端末装置（１０）に入力される第１のステップ（Ｓ１１）と、
前記情報端末装置の取付情報登録部（１２）が、前記入力された取付情報および前記情報端末装置の位置データを情報記憶装置（１４）に登録する第２のステップ（Ｓ１２）と、
データ送信要求信号がデータ受信端末装置（２０）から送信されてくると、前記情報端末装置のデータ送受信部（１６）が、該情報端末装置の情報端末装置識別子、前記位置データおよび前記取付情報を該データ受信端末装置に送信する第３のステップ（Ｓ１３）と、
前記データ受信端末装置の管理情報作成部（２２）が、前記情報端末装置から送信されてくる前記位置データおよび前記取付情報に基づいて防護措置実施箇所管理情報を作成して、該作成した防護措置実施箇所管理情報を前記情報端末装置識別子と対応付けて管理情報記憶装置（２４）に登録する第４のステップ（Ｓ１４）と、
前記防護措置用具が撤去されると、前記情報端末装置の撤去指示部（１５）が、該情報端末装置に入力される撤去指示信号に応じて、前記情報記憶装置から読み出した前記取付情報に基づいて撤去情報を作成したのち、該情報記憶装置に登録されている前記位置データおよび前記取付情報を消去し、前記データ送受信部が、該撤去指示部から入力される前記撤去情報および前記情報端末装置識別子を前記データ受信端末装置に送信する第５のステップ（Ｓ１６）と、
前記データ受信端末装置の撤去処理部（２６）が、前記情報端末装置から受信した前記撤去情報を撤去情報記憶装置（２７）に登録するとともに、前記情報端末装置から受信した前記情報端末装置識別子と対応付けられた前記防護措置実施箇所管理情報を前記管理情報記憶装置から消去する第６のステップ（Ｓ１７）と、
を具備することを特徴とする、防護措置実施箇所管理方法。
【請求項９】
前記第２のステップにおいて、前記情報端末装置の画像データ登録部（１３）が、該情報端末装置に接続された撮像手段（５２）からの画像データも前記情報記憶装置に登録し、
前記第３のステップにおいて、前記データ送受信部が、前記情報記憶装置に登録されている画像データも該データ受信端末装置に送信し、
前記第４のステップにおいて、前記管理情報作成部が、前記情報端末装置から送信されてくる前記画像データも前記情報端末装置識別子と対応付けて前記管理情報記憶装置に登録し、
前記第５のステップにおいて、前記撤去指示部が、前記情報記憶装置に登録されている前記画像データも消去し、
前記第６のステップにおいて、前記撤去処理部が、前記情報端末装置識別子と対応付けられた前記画像データも前記管理情報記憶装置から消去する、
ことを特徴とする、請求項８記載の防護措置実施箇所管理方法。
【請求項１０】
前記第５のステップの後に、前記データ受信端末装置の取付状況作成・表示部（２３）が、前記情報端末装置識別子と対応付けられた前記防護措置実施箇所管理情報および前記画像データを前記管理情報記憶装置から読み出して、該読み出した防護措置実施箇所管理情報に含まれている現在位置の地図情報の送信を地図情報システム（３０）に要求するとともに、該読み出した防護措置実施箇所管理情報および画像データと前記地図情報とに基づいて取付状況画面データを作成して、該作成した取付状況画面データによって表される取付状況画面を表示装置に表示する第７のステップ（Ｓ１５）をさらに具備する、請求項９記載の防護措置実施箇所管理方法。
【請求項１１】
前記第７のステップにおいて、前記取付状況作成・表示部が画像データ送信要求信号を前記情報端末装置に送信すると、前記画像データ登録部が、前記撮像手段から入力される画像データを前記データ送受信部を介して前記データ受信端末装置に送信し、該データ受信端末装置の前記取付状況作成・表示部が、前記情報端末装置から受信した前記画像データによって表されるライブ映像を前記表示装置に表示することを特徴とする、請求項１０記載の防護措置実施箇所管理方法。
【発明の詳細な説明】
【技術分野】
【０００１】
本発明は、配電線などに対する防護措置実施箇所の管理を行うのに好適な防護措置実施箇所管理システムおよび防護措置実施箇所管理方法に関する。
【背景技術】
【０００２】
電力会社では、建設会社などが建設現場などにおいて配電線に近接して工事や作業を行う場合には、工事作業場所などを事前に連絡をしてもらい、配電線に防護具を取り付けるなどの配電線損傷防止や配電線位置明示（目印）を目的とした防護措置を実施したのち、防護措置が不要になった時点で防護具を撤去している。
たとえば、配電線に近接してビルの建設工事が行われる場合には、配電線損傷防止や配電線位置明示（目印）のために、図８に示すように、工事期間中は各配電線に電線防護管を取り付け、工事終了後に電線防護管を撤去している。
【０００３】
同様に、土砂崩れや台風などで電柱が折れた場合には、折れた電柱に副木や添木を取り付けて仮復旧している。また、送電線下で作業をする場合には、送電線注意喚起標識（たとえば、注意喚起用の旗）を送電線鉄塔に取り付けている。
なお、以下では、説明の簡単のために、電線防護管、電柱仮復旧用の副木や添木、および送電線注意喚起標識のような防護措置に用いられる用具を「防護措置用具」と称する。
【０００４】
従来、このような防護措置実施箇所（上述した３つの例では、電線防護管取付箇所、電柱折損仮復旧箇所および送電線注意喚起標識取付箇所）の管理は、紙ベースの台帳を用いて行われている。たとえば、電線防護管取付箇所の管理については、以下に示すような項目が記載された所定の用紙に該当事項を記入した台帳を用いて行われている。
（１）取付状況（取付箇所、理由、改修方法、支障理由および取付数量など）
（２）取付期間
（３）電柱番号
（４）取付依頼者
（５）撤去数量
【０００５】
なお、下記の特許文献１には、パーソナルコンピュータなどの外部端末装置を用いて作成された概略地図データに、ＧＰＳ衛星情報を受信し現在位置を演算するＧＰＳ受信演算手段で求められた現在位置情報を重ね合わせることで、現在位置を表示する表示手段の表示を分かり易く表示することができる、低解像度の表示手段を持った携帯型ＧＰＳ受信装置が開示されている。
【特許文献１】特開２００１−１９４９８８号公報
【発明の開示】
【発明が解決しようとする課題】
【０００６】
しかしながら、紙ベースの台帳を用いた防護措置実施箇所の管理では、防護措置実施箇所や防護措置実施後の状況変化を適確に把握することは困難であり、また、工事作業終了後に撤去した防護措置用具の在庫管理を適確に行ってその再使用を効率的に行うことも困難であるという問題がある。
【０００７】
本発明の目的は、防護措置実施箇所や防護措置実施後の状況変化を適確に把握することができるとともに、防護措置用具の再使用を効率的に行うことができる防護措置実施箇所管理システムおよび防護措置実施箇所管理方法を提供することにある。
【課題を解決するための手段】
【０００８】
本発明の防護措置実施箇所管理システム（１）は、防護措置実施箇所に取り付けられる、かつ、該防護措置実施箇所の位置データと防護措置の実施時に入力される防護措置用具の取付情報と該防護措置用具の撤去時に該取付情報に基づいて作成される撤去情報とが登録される情報記憶装置（１４）を備える情報端末装置（１０）と、該情報端末装置から送信されてくる前記位置データおよび前記取付情報に基づいて作成される防護措置実施箇所管理情報が登録される管理情報記憶装置（２４）、および前記防護措置用具の撤去時に前記情報端末装置から送信されてくる撤去情報が登録される撤去情報記録装置（２７）を備えるデータ受信端末装置（２０）とを具備することを特徴とする。
ここで、前記情報端末装置が、ＧＰＳ衛星からのＧＰＳ衛星情報を受信して前記情報端末装置の現在位置を演算するＧＰＳ受信演算部（１１）と、前記取付情報を前記情報記憶装置に登録する取付情報登録部（１２）と、前記防護措置用具の撤去時に、前記取付情報に基づいて前記撤去情報を作成する撤去指示部（１５）と、前記データ受信端末装置からのデータ送信要求信号に応じて、前記情報端末装置の情報端末装置識別子、前記位置データおよび前記取付情報を該データ受信端末装置に送信するとともに、前記防護措置用具の撤去時に前記情報端末装置識別子および前記撤去情報を該データ受信端末装置に送信するデータ送受信部（１６）とを備えてもよい。
前記データ受信端末装置が、前記情報端末装置から送信されてくる前記位置データおよび前記取付情報に基づいて防護措置実施箇所管理情報を作成して、該作成した防護措置実施箇所管理情報を、前記情報端末装置から送信されてくる情報端末装置識別子と対応付けて前記管理情報記憶装置に登録する管理情報作成部（２２）と、前記防護措置用具の撤去時に前記情報端末装置から送信されてくる前記撤去情報を前記撤去情報記録装置に登録する撤去処理部（２６）とを備えてもよい。
前記データ受信端末装置と接続された、かつ、地図情報が登録された地図情報システム（３０）をさらに具備してもよい。
前記情報端末装置が、該情報端末装置に接続された撮像手段（５２）からの画像データを前記情報記憶装置に登録する画像データ登録部（１３）をさらに備え、前記管理情報作成部が、前記情報端末装置から送信されてくる画像データを前記情報端末装置識別子と対応付けて前記管理情報記憶装置に登録してもよい。
前記データ受信端末装置が、前記情報端末装置識別子と対応付けられた前記防護措置実施箇所管理情報および前記画像データを前記管理情報記憶装置から読み出して、該読み出した防護措置実施箇所管理情報に含まれている現在位置および取付箇所に基づいて、前記情報端末装置が取り付けられている位置の地図情報の送信を前記地図情報システムに要求するとともに、前記防護措置実施箇所管理情報、前記画像データおよび前記地図情報に基づいて取付状況画面データを作成して、該作成した取付状況画面データによって表される取付状況画面を表示装置に表示させる取付状況作成・表示部（２３）をさらに備えてもよい。
前記情報端末装置の前記画像データ登録部が、画像データ送信要求信号が前記データ受信端末装置から送信されてくると、前記撮像手段から入力される画像データを前記データ送受信部を介して該データ受信端末装置に送信し、該データ受信端末装置の前記取付状況作成・表示部が、前記情報端末装置から受信した前記画像データによって表されるライブ映像を前記表示装置に表示してもよい。
【０００９】
本発明の防護措置実施箇所管理方法は、防護措置用具の取付情報が情報端末装置（１０）に入力される第１のステップ（Ｓ１１）と、前記情報端末装置の取付情報登録部（１２）が、前記入力された取付情報および前記情報端末装置の位置データを情報記憶装置（１４）に登録する第２のステップ（Ｓ１２）と、データ送信要求信号がデータ受信端末装置（２０）から送信されてくると、前記情報端末装置のデータ送受信部（１６）が、該情報端末装置の情報端末装置識別子、前記位置データおよび前記取付情報を該データ受信端末装置に送信する第３のステップ（Ｓ１３）と、前記データ受信端末装置の管理情報作成部（２２）が、前記情報端末装置から送信されてくる前記位置データおよび前記取付情報に基づいて防護措置実施箇所管理情報を作成して、該作成した防護措置実施箇所管理情報を前記情報端末装置識別子と対応付けて管理情報記憶装置（２４）に登録する第４のステップ（Ｓ１４）と、前記防護措置用具が撤去されると、前記情報端末装置の撤去指示部（１５）が、該情報端末装置に入力される撤去指示信号に応じて、前記情報記憶装置から読み出した前記取付情報に基づいて撤去情報を作成したのち、該情報記憶装置に登録されている前記位置データおよび前記取付情報を消去し、前記データ送受信部が、該撤去指示部から入力される前記撤去情報および前記情報端末装置識別子を前記データ受信端末装置に送信する第５のステップ（Ｓ１６）と、前記データ受信端末装置の撤去処理部（２６）が、前記情報端末装置から受信した前記撤去情報を撤去情報記憶装置（２７）に登録するとともに、前記情報端末装置から受信した前記情報端末装置識別子と対応付けられた前記防護措置実施箇所管理情報を前記管理情報記憶装置から消去する第６のステップ（Ｓ１７）とを具備することを特徴とする。
ここで、前記第２のステップにおいて、前記情報端末装置の画像データ登録部（１３）が、該情報端末装置に接続された撮像手段（５２）からの画像データも前記情報記憶装置に登録し、前記第３のステップにおいて、前記データ送受信部が、前記情報記憶装置に登録されている画像データも該データ受信端末装置に送信し、前記第４のステップにおいて、前記管理情報作成部が、前記情報端末装置から送信されてくる前記画像データも前記情報端末装置識別子と対応付けて前記管理情報記憶装置に登録し、前記第５のステップにおいて、前記撤去指示部が、前記情報記憶装置に登録されている前記画像データも消去し、前記第６のステップにおいて、前記撤去処理部が、前記情報端末装置識別子と対応付けられた前記画像データも前記管理情報記憶装置から消去してもよい。
前記第５のステップの後に、前記データ受信端末装置の取付状況作成・表示部（２３）が、前記情報端末装置識別子と対応付けられた前記防護措置実施箇所管理情報および前記画像データを前記管理情報記憶装置から読み出して、該読み出した防護措置実施箇所管理情報に含まれている位置の地図情報の送信を地図情報システム（３０）に要求するとともに、該読み出した防護措置実施箇所管理情報および画像データと前記地図情報とに基づいて取付状況画面データを作成して、該作成した取付状況画面データによって表される取付状況画面を表示装置に表示する第７のステップ（Ｓ１５）をさらに具備してもよい。
前記第７のステップにおいて、前記取付状況作成・表示部が画像データ送信要求信号を前記情報端末装置に送信すると、前記画像データ登録部が、前記撮像手段から入力される画像データを前記データ送受信部を介して前記データ受信端末装置に送信し、該データ受信端末装置の前記取付状況作成・表示部が、前記情報端末装置から受信した前記画像データによって表されるライブ映像を前記表示装置に表示してもよい。
【発明の効果】
【００１０】
本発明の防護措置実施箇所管理システムおよび防護措置実施箇所管理方法は、以下の効果を奏する。
（１）情報端末装置からの位置データに基づいて防護措置実施箇所をたとえば地図上に表示することができるので、防護措置実施箇所を適確に把握することができる。
（２）情報端末装置からの画像データに基づいて防護措置実施箇所の状況をいつでも確認することができるので、防護措置実施後の状況変化を適確に把握することができる。
（３）工事作業終了後には情報端末装置から撤去情報が送信されてくるので、この撤去情報に基づいて撤去後の防護措置用具の管理を行うことにより、その再使用を効率的に行うことができる。
（４）情報端末装置に撮像手段を接続しておくことにより、カラスの営巣箇所（電柱上にカラスが巣を作っている箇所）や金属のハンガーなどでカラスが巣を作っていないかなどを監視するのにも使用することができる。
【発明を実施するための最良の形態】
【００１１】
防護措置実施箇所や防護措置実施後の状況変化を適確に把握することができるとともに防護措置用具の再使用を効率的に行うという目的を、防護措置実施箇所の位置データと防護措置の実施時に入力される防護措置用具の取付情報と防護措置用具の撤去時に取付情報に基づいて作成される撤去情報とが登録される情報記憶装置を備えた情報端末装置を防護措置実施箇所に取り付けるとともに、情報端末装置から送信されてくる位置データおよび取付情報に基づいて作成される防護措置実施箇所管理情報が登録される管理情報記憶装置と防護措置用具の撤去時に情報端末装置から送信されてくる撤去情報が登録される撤去情報記録装置とをデータ受信端末装置に備えることにより実現した。
【実施例１】
【００１２】
以下、本発明の防護措置実施箇所管理システムおよび防護措置実施箇所管理方法の実施例について、図面を参照して説明する。
本発明の一実施例による防護措置実施箇所管理システム１は、図１に示すように、防護措置実施箇所に取り付けられる情報端末装置１０と、営業所などに設けられたデータ受信端末装置２０と、本社などに設けられたかつ電柱ごとに電柱番号が付された地図情報が登録された地図情報システム３０とを具備する。ここで、データ受信端末装置２０には地図情報システム３０が社内ＬＡＮなどを介して接続されている。
【００１３】
情報端末装置１０は、ＧＰＳ受信演算部１１と、取付情報登録部１２と、画像データ登録部１３と、情報記憶装置１４と、撤去指示部１５と、データ送受信部１６とを備えている。また、情報端末装置１０には、取付情報入力手段などとして機能する入力装置５１（キーボードマウスなど）と、撮像手段として機能するカメラ５２とが接続できるようになっている。
【００１４】
ＧＰＳ受信演算部１１は、ＧＰＳ衛星からのＧＰＳ衛星情報を受信して情報端末装置１０の現在位置を演算するとともに、演算した現在位置を表す位置データを情報記憶装置１４に登録する。
取付情報登録部１２は、防護措置の実施時に入力装置５１を情報端末装置１０に接続して入力される取付情報（取付箇所（電柱番号など）、取付状況、防護措置用具名、取付数量、取付依頼者、担当者、取付期間など）を情報記憶装置１４に登録する。
画像データ登録部１３は、カメラ５２からの画像データを情報記憶装置１４に登録する。
なお、情報記憶装置１４には、情報端末装置１０固有の情報端末装置識別子（情報端末装置識別番号など）も登録されている。
【００１５】
撤去指示部１５は、防護措置用具の撤去時に入力装置５１を情報端末装置１０に接続して入力される撤去指示信号に応じて、情報記憶装置１４に登録されている取付情報に基づいて撤去情報（取付箇所（電柱番号など）、防護措置用具名、撤去数量、担当者など）を作成するとともに、情報記憶装置１４に登録されている位置データ、取付情報および画像データを消去する。
【００１６】
データ送受信部１６は、データ受信端末装置２０からのデータ送信要求信号に応じて、情報端末装置識別子、位置データ、取付情報および画像データを情報記憶装置１４から読み出して、読み出した情報端末装置識別子、位置データ、取付情報および画像データをデータ受信端末装置２０に送信する。
また、データ送受信部１６は、防護措置用具の撤去時には、情報端末装置識別子および位置データを情報記憶装置１４から読み出したのち、読み出した情報端末装置識別子および位置データと撤去指示部１５から入力される撤去情報とをデータ受信端末装置２０に送信する。
【００１７】
データ受信端末装置２０は、データ送受信部２１と、管理情報作成部２２と、取付状況作成・表示部２３と、管理情報記憶装置２４と、取付状況画面記憶装置２５と、撤去処理部２６と、撤去情報記録装置２７とを備えている。
【００１８】
データ送受信部２１は、情報端末装置１０から送信されてくる情報端末装置識別子、位置データ、取付情報、画像データおよび撤去情報などを受信するとともに、データ送信要求信号および画像データ送信要求信号などを情報端末装置１０に送信するために使用される。
【００１９】
管理情報作成部２２は、データ送受信部２１から入力される位置データおよび取付情報に基づいて防護措置実施箇所管理情報を作成して、作成した防護措置実施箇所管理情報とデータ送受信部２１から入力される画像データとを、データ送受信部２１から入力される情報端末装置識別子と対応付けて、管理情報記憶装置２４に登録する。
なお、防護措置実施箇所管理情報は、情報端末装置１０の現在位置、取付箇所、取付状況、防護措置用具名、取付数量、取付依頼者、担当者および取付期間などを含む。
【００２０】
取付状況作成・表示部２３は、データ送受信部２１から入力される情報端末装置識別子と対応付けられた防護措置実施箇所管理情報および画像データを管理情報記憶装置２４から読み出すとともに、読み出した防護措置実施箇所管理情報に含まれている現在位置および取付箇所に基づいて、この情報端末装置１０が取り付けられている位置の地図情報の送信を地図情報システム３０に要求する。
また、取付状況作成・表示部２３は、管理情報記憶装置２４から読み出した防護措置実施箇所管理情報および画像データと地図情報システム３０から送信されてくる地図情報とに基づいて取付状況画面データを作成して、作成した取付状況画面データを情報端末装置識別子と対応付けて取付状況画面記憶装置２５に登録するとともに、作成した取付状況画面データによって表される取付状況画面を表示装置（不図示）に表示させる。
【００２１】
撤去処理部２６は、防護措置用具の撤去時に、情報端末装置１０から情報端末装置識別子および撤去情報を受信すると、受信した情報端末装置識別子と対応付けられた防護措置実施箇所管理情報および画像データを管理情報記憶装置２４から消去するとともに、受信した情報端末装置識別子と対応付けられた取付状況画面データを取付状況画面記憶装置２５から消去するとともに、受信した撤去情報を撤去情報記録装置２７に登録する。
【００２２】
次に、本実施例による防護措置実施箇所管理システム１の動作（本発明の一実施例による防護措置実施箇所管理方法）について、図２に示すように電柱番号が１１号の電柱６１と電柱番号が１２号の電柱６２との間の３本の配電線６３に５本の電線防護管６４をそれぞれ取り付ける場合を例として、図３に示すフローチャートを参照して説明する。
【００２３】
電力会社の担当者Ａは、電柱６１と電柱６２との間の３本の配電線６３に５本の電線防護管６４がそれぞれ取り付けられると、入力装置５１を用いて取付情報（取付箇所（電柱番号など）、取付状況、防護措置用具名、取付数量、取付依頼者、担当者、取付期間など）を情報端末装置１０に入力する（ステップＳ１１）。
【００２４】
この例では、取付情報として、たとえば以下に示すような情報が入力される。
（１）取付箇所：「電柱番号  ○○幹  １１号〜１２号」
（２）取付状況：「配電線」
（３）防護措置用具名：「電線防護管」
（４）取付数量：「高圧３５φ×３条×５本」
（５）取付依頼者：「○○様」
（６）担当者：「Ａ」
（７）取付期間：「２００５年４月１日〜５月３０日」
【００２５】
入力された取付情報が取付情報登録部１２によって情報記憶装置１４に登録されたのち、カメラ５２が接続された情報端末装置１０が、電柱番号が１１号の電柱６に取り付けられる。
情報端末装置１０のＧＰＳ受信演算部１１は、ＧＰＳ衛星からのＧＰＳ衛星情報を受信して情報端末装置１０の現在位置を演算し、演算した現在位置を表す位置データを情報記憶装置１４に登録する。
また、画像データ登録部１３は、カメラ５２からの画像データを情報記憶装置１４に登録する（以上、ステップＳ１２）。
【００２６】
その後、データ送信要求信号がデータ受信端末装置２０から送信されてくると、データ送受信部１６は、情報端末装置１０の情報端末装置識別子（情報端末装置番号など）、位置データ、取付情報および画像データを情報記憶装置１４から読み出したのち、読み出した情報端末装置識別子、位置データ、取付情報および画像データをデータ受信端末装置２０に送信する（ステップＳ１３）。
【００２７】
データ受信端末装置２０のデータ送受信部２１は、情報端末装置１０から送信されてくる情報端末装置識別子、位置データ、取付情報および画像データを受信したのち、受信した情報端末装置識別子、位置データ、取付情報および画像データを管理情報作成部２２に出力する。
【００２８】
管理情報作成部２２は、位置データおよび取付情報に基づいて防護措置実施箇所管理情報を作成して、作成した防護措置実施箇所管理情報と画像データとを情報端末装置識別子と対応付けて管理情報記憶装置２４に登録する（以上、ステップＳ１４）。
【００２９】
取付状況作成・表示部２３は、情報端末装置１０の情報端末装置識別子と対応付けられた防護措置実施箇所管理情報および画像データを管理情報記憶装置２４から読み出して、この防護措置実施箇所管理情報に含まれている現在位置に基づいて、当該位置の地図情報の送信を地図情報システム３０に要求する。
また、取付状況作成・表示部２３は、管理情報記憶装置２４から読み出した防護措置実施箇所管理情報および画像データと地図情報システム３０から送信されてくる地図情報とに基づいて取付状況画面データを作成して、作成した取付状況画面データを取付状況画面記憶装置２５に登録するとともに、作成した取付状況画面データによって表される取付状況画面を表示装置（不図示）に表示する（以上、ステップＳ１５）。
【００３０】
図４は、表示装置に表示される取付状況画面の一例を示す。この取付状況画面１０１においては、情報端末装置１０およびカメラ５２が取り付けられた電柱６１（電柱番号＝１１号）は色付け（同図では黒丸）で表示されており、また、配電線６３に取り付けられた電線防護管６４は電線防護管シンボル１１０を用いて表示されている。
【００３１】
また、取付状況画面１０１上の電柱６１（電柱番号＝１１号）と電柱６２（電柱番号＝１２号）との間の配電線６３に取り付けられた電線防護管６４を示す電線防護管シンボル１１０が選択される（たとえば、マウスでクリックされる）と、図５に示すような取付位置詳細画面１０２に切り換わる。
【００３２】
さらに、取付位置詳細画面１０２の色付き表示されている電柱６１（カメラ取付電柱）が選択される（たとえば、マウスでクリックされる）と、図６に示すようなカメラ撮影画面１０３に切り換わる。
このとき、取付状況作成・表示部２３は、以下のようにしてカメラ５２のライブ映像を表示装置に表示させてもよい。
取付状況作成・表示部２３は、電柱６１が選択されると、画像データ送信要求信号を作成して、作成した画像データ送信要求信号をデータ送受信部２１を介して情報端末装置１０に送信する。情報端末装置１０の画像データ登録部１３は、画像データ送信要求信号をデータ送受信部１６を介して受信すると、カメラ５２から入力される画像データをデータ送受信部１６を介してデータ受信端末装置２０に送信する。データ受信端末装置２０の取付状況作成・表示部２３は、データ送受信部２１を介して画像データを受信すると、受信した画像データによって表されるカメラ５２のライブ映像を表示装置に表示する。
【００３３】
さらにまた、図６に示した取付位置詳細画面１０２上の電線防護管シンボル１１０が選択される（たとえば、マウスでクリックされる）と、図７に示すような電線防護管取付情報画面１０４に切り換わる。
【００３４】
その後、電線防護管６４が配電線６３から撤去されると、担当者Ａは、情報端末装置１０を電柱６１から取り外したのち、入力装置５１を用いて撤去指示信号を情報端末装置１０に入力する。
情報端末装置１０の撤去指示部１５は、撤去指示信号に応じて、情報記憶装置１４から読み出した取付情報に基づいて撤去情報（取付箇所（電柱番号など）、防護措置用具名、撤去数量、担当者など）を作成したのち、情報記憶装置１４に登録されている位置データ、取付情報および画像データを消去する。
【００３５】
この例では、撤去情報として、たとえば以下に示すような情報が作成される。
（１）取付箇所：「電柱番号  ○○幹  １１号〜１２号」
（２）防護措置用具名：「電線防護管」
（３）撤去数量：「高圧３５φ×３条×５本」
（４）担当者：「Ａ」
【００３６】
データ送受信部１６は、撤去指示部１５から入力される撤去情報とこの情報端末装置１０の情報端末装置識別子とをデータ受信端末装置２０に送信する（以上、ステップＳ１６）。
【００３７】
データ受信端末装置２０の撤去処理部２６は、情報端末装置１０からデータ送受信部２１を介して情報端末装置識別子および撤去情報を受信すると、受信した撤去情報を撤去情報記憶装置２７に登録する。
これにより、撤去情報記憶装置２７に登録された撤去情報に基づいて撤去後の電線防護管６４の管理を適確に行うことができるので、その再使用を効率的に行うことができる。
【００３８】
また、撤去処理部２６は、受信した情報端末装置識別子と対応付けられた防護措置実施箇所管理情報および画像データを管理情報記憶装置２４から消去するとともに、この情報端末装置識別子と対応付けられた取付状況画面データを取付状況画面記憶装置２５から消去する（以上、ステップＳ１７）。
【産業上の利用可能性】
【００３９】
以上説明したように、本発明の防護措置実施箇所管理システムおよび防護措置実施箇所管理方法は、配電線などに対する防護措置実施箇所の管理を行うのに利用することができる。
【図面の簡単な説明】
【００４０】
【図１】本発明の一実施例による防護措置実施箇所管理システムの構成を示す図である。（実施例１）
【図２】図１に示した防護措置実施箇所管理システム１の動作を説明するための図である。（実施例１）
【図３】図１に示した防護措置実施箇所管理システム１の動作を説明するためのフローチャートである。（実施例１）
【図４】表示装置に表示される取付状況画面の一例を示す図である。（実施例１）
【図５】表示装置に表示される取付位置詳細画面の一例を示す図である。（実施例１）
【図６】表示装置に表示されるカメラ撮影画面の一例を示す図である。（実施例１）
【図７】表示装置に表示される電線防護管取付情報画面の一例を示す図である。（実施例１）
【図８】工事期間中に配電線に取り付けられる電線防護管を説明するための図である。
【符号の説明】
【００４１】
１  防護措置実施箇所管理システム
１０  情報端末装置
１１  ＧＰＳ受信演算部
１２  取付情報登録部
１３  画像データ登録部
１４  情報記憶装置
１５  撤去指示部
１６  データ送受信部
２０  データ受信端末装置
２１  データ送受信部
２２  管理情報作成部
２３  取付状況作成・表示部
２４  管理情報記憶装置
２５  取付状況画面記憶装置
２６  撤去処理部
２７  撤去情報記録装置
３０  地図情報システム
５１  入力装置
５２  カメラ
６１，６２  電柱
６３  配電線
６４  電線防護管
１０１  取付状況画面
１１０  電線防護管シンボル
Ｓ１１〜Ｓ１７  ステップ
【図１】
2006311677.tif 000003
【図２】
2006311677.tif 000004
【図３】
2006311677.tif 000005
【図４】
2006311677.tif 000006
【図５】
2006311677.tif 000007
【図６】
2006311677.tif 000008
【図７】
2006311677.tif 000009
【図８】
2006311677.tif 000010